(57)【要約】      （修正有）【課題】体験者に心地よい仮想環境を想起させることが可能な空間制御システムを提供する。【解決手段】遠隔地の環境からの刺激として捉えられる現象に関する観測結果を含む環境情報を出力する環境情報収集手段と、これらの環境情報収集手段それぞれに対応する場所を、事物および現象にかかわる想起成分とこれら相互の関連に基づいて想起させる心理構造に関する場所想起スキーマの抽出および管理を行う想起スキーマ管理サーバ装置と、環境情報収集手段のいずれかに対応する場所を想起させる想起空間を形成する想起空間形成装置と、場所想起スキーマの部分構造であって、各想起空間形成装置において形成する対象となる想起空間を規定する対象想起スキーマに基づいて、場所に対応する環境情報収集手段によって得られる環境情報に含まれる想起成分データを各想起空間形成装置に配信するコンテンツサーバ装置とを備える。【選択図】      図１
2006195564.tif 000002
【特許請求の範囲】
【請求項１】
リゾート地および観光地を含む少なくとも一つの遠隔地に設置され、設置された場所において環境からの刺激として捉えられる少なくとも一つの現象を観測し、観測結果を含む環境情報を出力する環境情報収集手段と、
前記少なくとも一つの環境情報収集手段それぞれに対応する場所を、事物および現象にかかわる想起成分とこれら相互の関連に基づいて想起させる心理構造に関する場所想起スキーマの抽出および管理を行う想起スキーマ管理サーバ装置と、
前記少なくとも一つの環境情報収集手段のいずれかに対応する場所を想起させる想起成分の少なくとも一つにかかわる刺激を提示することにより、前記場所を想起させる想起空間を形成する少なくとも一つの想起空間形成装置と、
前記場所想起スキーマの部分構造であって、前記少なくとも一つの想起空間形成装置において形成する対象となる想起空間をそれぞれ規定する対象想起スキーマに基づいて、前記場所に対応する環境情報収集手段によって得られる環境情報に含まれる想起成分データを前記各想起空間形成装置に配信するコンテンツサーバ装置と
を備えたことを特徴とする空間制御システム。
【請求項２】
請求項１に記載の空間制御システムに備えられるコンテンツサーバ装置において、
前記各環境情報収集手段によって収集される環境情報から、前記少なくとも一つの想起空間形成装置それぞれにおける想起対象を規定する前記対象想起スキーマにかかわる想起成分制御情報において指定された想起成分にかかわる想起成分データを含む配信データを生成する配信データ生成手段と、
前記配信データ生成手段によって前記少なくとも一つの想起空間形成装置に対応して生成された配信データをそれぞれ配信する即時配信手段とを備えた
ことを特徴とするコンテンツサーバ装置。
【請求項３】
請求項１に記載の空間制御システムに備えられるコンテンツサーバ装置において、
前記各環境情報収集手段によって収集される環境情報から、前記少なくとも一つの想起空間形成装置それぞれにおける想起対象を規定する前記対象想起スキーマにかかわる想起成分制御情報において指定された想起成分にかかわる想起成分データを含む配信データを生成する配信データ生成手段と、
前記環境情報を前記各環境情報収集手段および収集時刻に対応して蓄積するとともに、前記配信データ生成手段によって前記各対象想起スキーマに基づいて生成された配信データを想起対象となる場所それぞれおよび対応する環境情報の収集時刻に対応して蓄積する環境情報データベースと、
前記想起対象となる場所および時刻を指定する配信指示に応じて、前記環境情報データベースから該当する配信データを検索する検索手段と、
前記検索手段によって検索された配信データを前記配信指示で指定された配信先に配信する蓄積配信手段とを備えた
ことを特徴とするコンテンツサーバ装置。
【請求項４】
請求項２あるいは請求項３に記載のコンテンツサーバ装置において、
前記配信データ生成手段は、
前記各対象想起スキーマに対応する想起成分制御情報に基づいて、前記環境情報から想起成分にかかわる情報要素を抽出する抽出手段と、
前記想起成分制御情報に基づいて、前記抽出された情報要素を指定された種別の想起成分データに変換する種別変換手段とを備えた
ことを特徴とするコンテンツサーバ装置。
【請求項５】
請求項１に記載の空間制御システムに備えられる想起スキーマ管理サーバ装置において、
前記少なくとも一つの環境情報収集手段それぞれに対応する場所と、前記場所に存在する事物および前記場所において現れる現象を含む想起成分とこれら相互の関連にかかわる想起情報を収集する想起情報収集手段と、
前記収集された想起情報に基づいて、前記各場所を想起させる心理構造にかかわる場所想起スキーマを形成するスキーマ形成手段と、
前記場所想起スキーマを、想定される全ての場所および前記場所を想起させる対象となり得る全ての利用者に対応して、想定される全ての想起成分に関する重み付けを施すことで定量化した重み付きグラフ構造として蓄積する場所想起スキーマデータベースと、
前記利用者の特徴を示す利用者情報および想起対象の場所を示す場所情報の入力に応じて、前記場所想起スキーマデータベースから前記場所想起スキーマの部分構造である対象想起スキーマを抽出する部分構造抽出手段と、
前記少なくとも一つの想起空間形成装置ごとに、想定される利用者に関する情報および想起対象の場所を示す情報とを前記部分構造抽出手段に入力して得られる対象想起スキーマに基づいて、対応する部分構造によって想起対象の場所との関連が示された想起成分を指定する想起成分制御情報を生成し、前記コンテンツサーバ装置による配信処理に供する配信管理手段と、
前記対象想起スキーマに対応する部分構造によって想起対象の場所との関連が示された想起成分にかかわる重みに基づいて、前記各想起成分にかかわる刺激の強度にかかわる最適化パラメータを生成し、前記想起空間形成装置による刺激提示処理に供する想起空間管理手段と
を備えたことを特徴とする想起スキーマ管理サーバ装置。
【請求項６】
請求項５に記載の想起スキーマ管理サーバ装置において、
スキーマ形成手段は、
前記想起情報収集手段によって収集された想起情報から、想起対象の場所ごとに、前記場所のイメージに含まれる少なくとも一つの物体と、前記少なくとも一つの物体それぞれにかかわる少なくとも一つの現象と、前記少なくとも一つの現象が観察される位置とを、場所想起スキーマにおけるノードとして抽出するノード抽出手段と、
前記ノード抽出手段によって抽出された物体にかかわるノードおよび対応する現象にかかわるノードとこれらの結びつきを示すエッジと、前記ノード抽出手段によって前記各現象に対応して抽出された位置にかかわるノードとこれらのノードと現象にかかわるノードとの結びつきを示すエッジとから前記想起対象の場所ごとの想起にかかわる心理構造を表すグラフ構造を形成し、前記場所想起データベースに蓄積する構造化手段と、
前記ノード抽出手段によって抽出された各ノードと前記構造化手段によって形成されたエッジとについて、前記想起情報における出現度数にかかわる重みを決定し、前記場所想起データベースに蓄積されたグラフ構造に反映する重み決定手段と、
前記ノード抽出手段によって抽出された現象にかかわるノードについて、前記想起情報からそれぞれの現象の属性を示すプロパティ情報を抽出し、前記場所想起データベースに蓄積されたグラフ構造に反映する属性抽出手段とを備えた
ことを特徴とする想起スキーマ管理サーバ装置。
【請求項７】
請求項５に記載の想起スキーマ管理サーバ装置において、
少なくとも一つの想起空間形成装置の利用者について、前記利用者によって表出される情報の中から前記利用者の気分を示す情報を収集する気分情報収集手段と、
前記気分情報収集手段によって収集された気分情報を含む利用者情報を前記部分構造抽出手段に入力して得られた部分構造に基づいて、前記気分情報によって示される利用者の気分に関連付けられた場所を想起対象の場所として選択し、選択結果を前記配信管理手段の処理に供する場所選択手段とを備えた
ことを特徴とする想起スキーマ管理サーバ装置。
【請求項８】
請求項５に記載の想起スキーマ管理サーバ装置において、
少なくとも一つの想起空間形成装置の利用者について、前記利用者によって表出される情報の中から前記利用者に固有の特徴を示すプロファイル情報や前記利用者が前記想起空間形成装置によって提供された想起空間から受けた影響を示すフィードバック情報を収集する対象情報収集手段と、
前記対象情報収集手段によって収集されたプロファイル情報およびフィードバック情報を利用者情報の一部として前記部分構造抽出手段に入力することにより、前記部分構造抽出手段によって抽出される部分構造を前記プロファイル情報およびフィードバック情報に基づいて特定し、配信管理手段および想起空間管理手段による処理に供する部分構造特定手段とを備えた
ことを特徴とする想起スキーマ管理サーバ装置。
【請求項９】
請求項１に記載の空間制御システムに備えられる想起空間形成装置において、
入力される想起成分データに含まれる各想起成分に対応する刺激を、前記想起成分データで示される強度に従って提示する想起刺激提示手段と、
前記想起刺激提示手段によって提示される刺激の組み合わせおよびこれらの刺激それぞれの強度にかかわる最適化パラメータに従って、前記コンテンツサーバ装置から配信された想起成分データに含まれる各想起成分に関する値を調整し、調整された想起成分データを前記想起刺激提示手段に入力する提示制御手段とを備えた
ことを特徴とする想起空間形成装置。
【請求項１０】
請求項９に記載の想起空間形成装置において、
前記想起空間形成装置の利用者によって能動的に表出される情報の入力を受け付けて、利用者が表出する情報の一部として前記想起スキーマ管理サーバ装置の処理に供する入力受付手段と、
前記利用者の身体を介して表出される現象を観測し、観測結果を前記利用者が表出する情報の一部として前記想起スキーマ管理サーバ装置の処理に供する観測手段と
を備えたことを特徴とする想起空間形成装置。
【発明の詳細な説明】
【技術分野】
【０００１】
本発明は、オフィスや居住空間において居住者をリラックスさせる快適な居住空間を演出する空間制御システムおよびこの空間制御システムを構成する各構成装置に関する。
【背景技術】
【０００２】
仮想現実（virtual reality）や仮想環境を提供するための技術としては、米国イリノイ大学によって提唱されているＣＡＶＥ(非特許文献１参照)を始めとして様々なものが提案されている。
従来のいわゆる仮想現実提供システムでは、図１０に示すように、環境蓄積サーバ４０１に蓄積された環境情報と仮想現実を体験する被験者の位置および向きに関する情報とに基づいて、映像再現装置４０２により、被験者の視覚が捉えるべき映像が再現され、体験者が装着したゴーグル型のディスプレイ装置４０３などを介して、スピーカ４０４によって出力される音声とともに体験者に提供される。
【０００３】
一方、近年では、空調関連機器などの家電製品の中に、居住空間における快適な環境を形成する機能として、マイナスイオン放出機能や空気清浄機能などを備えたものも提供されている(非特許文献２参照)。
また、空調装置が送り出す風の強さに揺らぎを取り入れる技術や、送り出す空気に芳香剤を調合する技術のように、人間の皮膚感覚あるいは嗅覚への作用によってリラックス感や快適感の向上を図る技術も提供されるようになっている。
【非特許文献１】"THE CAVE Virtual Reality System"、[online]、２００１年７月２８日、[２００４年１２月２８日]、インターネット＜URL:http://www.evl.uic.edu/pape/CAVE/＞
【非特許文献２】「エアコン２００３年モデルの最新機能」、[online]、上新電機株式会社、[２００４年１２月２８日]、インターネット＜URL:http://www.joshin.co.jp/kaden/report/aircon/kino.htm＞
【非特許文献３】渡邊  隆弘、「Virtual Reality 酔い」、[online]、[２００４年１２月２８日]、インターネット＜URL:http://www.kisoen6.fc2web.com/page014.html＞
【非特許文献４】「音楽の『懐かしさ』と感情反応・自伝的記憶の想起との関連」、広島大学総合科学部紀要４理系編第２８巻、Ｐ２１〜Ｐ２８
【発明の開示】
【発明が解決しようとする課題】
【０００４】
従来の仮想現実技術は、アミューズメント施設やエンターテインメント施設での適用やプレゼンテーション手法の一つとしての適用が想定されており、特定の環境を再現すること自体および再現した環境を体験者に真に迫ったものとして体験させることに重点がおかれている。
また、従来の仮想現実体験システムは、視覚情報を主たる刺激として体験者に提示するものが多く、体験者への提示刺激が視覚情報に大きく偏っている。このため、元の環境を忠実に再現しようとすればするほど、膨大な視覚情報を体験者に提示することになるため、認知負荷が強くなる傾向がある。このような場合には、実体験に比べて極めて視覚への依存度が大きくなることから、ＶＲ酔いなどの好ましくない症状が体験者に現れることもある(非特許文献３参照)。
【０００５】
こうしたことから、従来の仮想現実技術をそのままオフィスや居住空間でのリラクゼーションやリフレッシュを目的とした技術に適用することは困難である。
その一方、近年の家電製品の中には、例えば、上述した風量調節機能や芳香剤の調合機能のように皮膚感覚や嗅覚などに作用する機能を備えた空調機器など、居住者のリラクゼーションやリフレッシュを目的とした機能を備えているものもある。
【０００６】
しかしながら、これらの製品の多くは、ごく限られた身体的な感覚に直接的に作用する機能を備えているのみである。
これに対して、人間は、視覚、聴覚、嗅覚、触覚、味覚からなる五感の全てへの総合的な作用の総体として環境を認識しており、この総合的な体験の好ましさが快適な感覚として捉えられ、リラクゼーションへとつながると考えられる。したがって、上述した空調機器の作用のように、単一の感覚器への直接的な作用のみによっては、心安らぐ快適な居住空間を形成するには不十分である。
【０００７】
人間をリラックスさせる快適な居住空間の提供を目指すためには、心理的な要因も重要である。例えば、非特許文献４では、人間は懐かしさを感じるときにポジティブ感情が高まり、かつ、リラックスすることが示唆されている。
そして、例えば、故郷を離れた人がふるさとの方言を聞いたときやふるさとの風景を写した写真などを見たときには、これらの提示刺激によって、現在の居住空間とは遠く離れた遠隔地にあるふるさとの環境が想起され、これによってその人は『懐かしさ』を感じると考えられる。つまり、様々な刺激の組み合わせによって、懐かしさのように人間のポジティブ感情を高める心情を引き出す環境を想起させることができれば、これらの刺激を体験者の五感に総合的に作用させることにより、仮想現実の体験者をリラックスさせるという効果を期待することができる。
【０００８】
本発明は、体験者に心地よい仮想環境を想起させることが可能な空間制御システムおよびこれを構成する各装置を提供することを目的とする。
【課題を解決するための手段】
【０００９】
本発明にかかわる空間制御システムは、環境情報収集手段と、想起スキーマ管理サーバ装置と、想起空間形成装置と、コンテンツサーバ装置とから構成される。
本発明にかかわる空間制御システムの原理は、以下の通りである。
環境情報収集手段は、リゾート地および観光地を含む少なくとも一つの遠隔地に設置され、設置された場所において環境からの刺激として捉えられる少なくとも一つの現象を観測し、観測結果を含む環境情報を出力する。想起スキーマ管理サーバ装置は、少なくとも一つの環境情報収集手段それぞれに対応する場所を、事物および現象にかかわる想起成分とこれら相互の関連に基づいて想起させる心理構造に関する場所想起スキーマの抽出および管理を行う。少なくとも一つの想起空間形成装置は、少なくとも一つの環境情報収集手段のいずれかに対応する場所を想起させる想起成分の少なくとも一つにかかわる刺激を提示することにより、場所を想起させる想起空間を形成する。コンテンツサーバ装置は、場所想起スキーマの部分構造であって、少なくとも一つの想起空間形成装置において形成する対象となる想起空間をそれぞれ規定する対象想起スキーマに基づいて、場所に対応する環境情報収集手段によって得られる環境情報に含まれる想起成分データを各想起空間形成装置に配信する。
【００１０】
このように構成された空間制御システムの動作は、下記の通りである。
リゾート地などに設定された環境情報収集手段によって収集された環境情報は、コンテンツサーバ装置を介して、このリゾート地に対応する想起空間を形成しようとする想起空間形成装置に配信され、この想起空間形成装置による刺激の提示処理に供される。このとき、コンテンツサーバ装置において、環境情報収集手段から得られる環境情報から配信する想起成分データを抽出する基準となる対象想起スキーマは、上述したリゾート地において特徴的な事物や現象およびこれらの関連がこのリゾート地を想起させる枠組みを示しているので、コンテンツサーバ装置から想起空間形成装置に配信された想起成分データに基づいて、想起空間形成装置において、それぞれ対応する刺激を提示することにより、想起空間に存在する人間にほぼ確実に上述したリゾート地を想起させることができる。
【００１１】
本発明にかかわる第１のコンテンツサーバ装置は、配信データ生成手段と、即時配信手段とから構成される。
本発明にかかわる第１のコンテンツサーバ装置の原理は、以下の通りである。
上述した空間制御システムに備えられるコンテンツサーバ装置において、配信データ生成手段は、各環境情報収集手段によって収集される環境情報から、少なくとも一つの想起空間形成装置それぞれにおける想起対象を規定する対象想起スキーマにかかわる想起成分制御情報において指定された想起成分にかかわる想起成分データを含む配信データを生成する。即時配信手段は、配信データ生成手段によって少なくとも一つの想起空間形成装置に対応して生成された配信データをそれぞれ配信する。
【００１２】
このように構成された第１のコンテンツサーバ装置の動作は、下記の通りである。
配信データ生成手段によって環境情報収集手段によって収集される環境情報から生成された配信データは、即時配信手段により、各想起空間形成装置にリアルタイムで配信される。したがって、各想起空間形成装置では、想起空間として選択した場所の現在の環境を想起させる刺激をリアルタイムで提示することができる。
【００１３】
本発明にかかわる第２のコンテンツサーバ装置は、配信データ生成手段と、環境情報データベースと、検索手段と、蓄積配信手段とから構成される。
本発明にかかわる第２のコンテンツサーバ装置の原理は、以下の通りである。
上述した空間制御システムに備えられるコンテンツサーバ装置において、配信データ生成手段は、各環境情報収集手段によって収集される環境情報から、少なくとも一つの想起空間形成装置それぞれにおける想起対象を規定する対象想起スキーマにかかわる想起成分制御情報において指定された想起成分にかかわる想起成分データを含む配信データを生成する。環境情報データベースは、環境情報を各環境情報収集手段および収集時刻に対応して蓄積するとともに、配信データ生成手段によって各対象想起スキーマに基づいて生成された配信データを想起対象となる場所それぞれおよび対応する環境情報の収集時刻に対応して蓄積する。検索手段は、想起対象となる場所および時刻を指定する配信指示に応じて、環境情報データベースから該当する配信データを検索する。蓄積配信手段は、検索手段によって検索された配信データを配信指示で指定された配信先に配信する。
【００１４】
このように構成された第２のコンテンツサーバ装置の動作は、下記の通りである。
環境情報収集手段による環境情報の収集に応じて配信データ生成手段によって随時に生成される配信データは、環境情報とともに環境情報データベースに想起対象の場所および時刻に対応して蓄積される。したがって、所望の時刻を指定した配信指示をコンテンツサーバ装置に入力することにより、検索手段により、上述した所望の時刻における想起空間を形成するための想起成分データを含む配信データを検索し、蓄積配信手段による配信処理に供することができる。これにより、環境情報収集手段の設置場所あるいは想起空間形成装置の設置場所における現在時刻にかかわらず、配信先として指定した想起空間形成装置に、所望の時刻における想起空間を形成するための想起成分データを含む配信データを配信することができる。もちろん、上述した配信指示により、想起対象の場所としてそれまでとは別の環境情報収集手段の設置場所を指定することにより、想起空間形成装置によって形成される想起空間を変更することも可能である。また、環境情報データベースに蓄積された配信データをそのまま配信する代わりに、蓄積された環境情報から再び配信データを生成しなおしてから配信することで、想起成分制御情報の最適化などに対応することも可能である。
【００１５】
本発明にかかわる第３のコンテンツサーバ装置は、第１のコンテンツサーバ装置あるいは第２のコンテンツサーバ装置に備えられる配信データ生成手段に、抽出手段と、種別変換手段とを備えて構成される。
本発明にかかわる第３のコンテンツサーバ装置の原理は、以下の通りである。
上述した第１のコンテンツサーバ装置あるいは第２のコンテンツサーバ装置に備えられる配信データ生成手段において、抽出手段は、各対象想起スキーマに対応する想起成分制御情報に基づいて、環境情報から想起成分にかかわる情報要素を抽出する。種別変換手段は、想起成分制御情報に基づいて、抽出された情報要素を指定された種別の想起成分データに変換する。
【００１６】
このように構成された第３のコンテンツサーバ装置の動作は、下記の通りである。
配信データ生成手段において、抽出手段によって抽出された情報要素は、種別変換手段により、想起成分制御情報で指定された種別の想起成分データに変換され、この変換された想起成分データを含む配信データが形成される。これにより、例えば、森林に設定された環境情報収集手段によって音データとして収集された木の葉同士がこすれあう音を、木漏れ日を連想させる光データに変換するといった提示刺激の変換を行い、想起空間形成装置ごとの特性に合わせた配信データを生成することができる。
【００１７】
本発明にかかわる第１の想起スキーマ管理サーバ装置は、想起情報収集手段と、スキーマ形成手段と、場所想起スキーマデータベースと、部分構造抽出手段と、配信管理手段と、想起空間管理手段とから構成される。
本発明にかかわる第１の想起スキーマ管理サーバ装置の原理は、以下の通りである。
上述した空間制御システムに備えられる想起スキーマ管理サーバ装置において、想起情報収集手段は、少なくとも一つの環境情報収集手段それぞれに対応する場所と、場所に存在する事物および場所において現れる現象を含む想起成分とこれら相互の関連にかかわる想起情報を収集する。スキーマ形成手段は、収集された想起情報に基づいて、各場所を想起させる心理構造にかかわる場所想起スキーマを形成する。場所想起スキーマデータベースは、場所想起スキーマを、想定される全ての場所および場所を想起させる対象となり得る全ての利用者に対応して、想定される全ての想起成分に関する重み付けを施すことで定量化した重み付きグラフ構造として蓄積する。部分構造抽出手段は、利用者の特徴を示す利用者情報および想起対象の場所を示す場所情報の入力に応じて、場所想起スキーマデータベースから場所想起スキーマの部分構造である対象想起スキーマを抽出する。配信管理手段は、少なくとも一つの想起空間形成装置ごとに、想定される利用者に関する情報および想起対象の場所を示す情報とを部分構造抽出手段に入力して得られる対象想起スキーマに基づいて、対応する部分構造によって想起対象の場所との関連が示された想起成分を指定する想起成分制御情報を生成し、コンテンツサーバ装置による配信処理に供する。想起空間管理手段は、対象想起スキーマに対応する部分構造によって想起対象の場所との関連が示された想起成分にかかわる重みに基づいて、各想起成分にかかわる刺激の強度にかかわる最適化パラメータを生成し、想起空間形成装置による刺激提示処理に供する。
【００１８】
このように構成された第１の想起スキーマ管理サーバ装置の動作は、下記の通りである。
想起情報収集手段によって収集された想起情報に基づいて、スキーマ形成手段により、想起情報が収集された各場所を想起させる心理構造にかかわる場所想起スキーマが形成され、場所想起スキーマデータベースに蓄積される。この場所想起スキーマデータベースに蓄積された場所想起スキーマは、想定される全ての場所および対象として想定される全ての利用者に関するグラフ構造スキーマであるので、想起対象の場所を示す情報あるいは対象となる利用者およびその利用者に想起空間を提供する設備の特徴を示す利用者情報に基づいて、部分構造抽出手段により、適切な部分構造を具体的な場所および利用者に対応した対象想起スキーマとして抽出することができる。このようにして、部分構造抽出手段によって抽出された対象想起スキーマに基づいて、配信管理手段が適切な想起成分制御情報を生成して、上述したようにして構成されたコンテンツサーバ装置による配信処理に供することにより、対象とする利用者に想起空間を提供する想起空間形成装置に適切な想起成分データを配信することができる。また、この対象想起スキーマに基づいて、想起空間管理手段によって予め生成された最適化パラメータを該当する想起空間形成装置に渡しておくことにより、この想起空間形成装置によって形成される想起空間において利用者に提示される刺激の強度を対象想起スキーマに基づいて調整することができる。
【００１９】
本発明にかかわる第２の想起スキーマ管理サーバ装置は、上述した第１の想起スキーマ管理サーバ装置に備えられるスキーマ形成手段に、ノード抽出手段と、構造化手段と、重み決定手段と、属性抽出手段とを備えて構成される。
本発明にかかわる第２の想起スキーマ管理サーバ装置の原理は、以下の通りである。
上述した第１の想起スキーマ管理サーバ装置に備えられるスキーマ形成手段において、ノード抽出手段は、想起情報収集手段によって収集された想起情報から、想起対象の場所ごとに、場所のイメージに含まれる少なくとも一つの物体と、少なくとも一つの物体それぞれにかかわる少なくとも一つの現象と、少なくとも一つの現象が観察される位置とを、場所想起スキーマにおけるノードとして抽出する。構造化手段は、ノード抽出手段によって抽出された物体にかかわるノードおよび対応する現象にかかわるノードとこれらの結びつきを示すエッジと、ノード抽出手段によって各現象に対応して抽出された位置にかかわるノードとこれらのノードと現象にかかわるノードとの結びつきを示すエッジとから想起対象の場所ごとの想起にかかわる心理構造を表すグラフ構造を形成し、場所想起データベースに蓄積する。重み決定手段は、ノード抽出手段によって抽出された各ノードと構造化手段によって形成されたエッジとについて、想起情報における出現度数にかかわる重みを決定し、場所想起データベースに蓄積されたグラフ構造に反映する。属性抽出手段は、ノード抽出手段によって抽出された現象にかかわるノードについて、想起情報からそれぞれの現象の属性を示すプロパティ情報を抽出し、場所想起データベースに蓄積されたグラフ構造に反映する。
【００２０】
このように構成された第２の想起スキーマ管理サーバ装置の動作は、下記の通りである。
例えば、様々な場所に関するイメージを記述した想起情報を不特定多数の利用者を対象としてアンケート調査などによって収集し、この想起情報から、想起対象の場所にまつわる巨大な樹木や朝日、青空、白い砂浜といった具体的な物体と、これらの物体にかかわる現象(そそり立つ、昇る、広がる、波に洗われるなど)と、これらの現象が観察されることが期待される位置(見上げる、見晴るかす、頭上、足元など)とがノード抽出手段によって、各場所を想起させる心理構造のノードとして抽出される。このようにして抽出されたノードは、構造化手段によって形成される２種類のエッジ、つまり、物体と現象との間のエッジと現象と位置との間のエッジとによって結び付けられ、物体と現象および現象が観察される位置との結びつきによって場所の想起を引き起こす心理構造をグラフ構造として表す場所想起スキーマデータベースに蓄積される。
【００２１】
ところで、上述したようにして収集された想起情報において、多数の利用者に特定の場所を想起させるのに有効な物体や現象およびその現象の位置は、その場所に関する想起情報に頻繁に現れると考えられる。したがって、重み決定手段は、想起情報における各ノードおよびエッジの出現頻度に基づいて、これらのノードおよびエッジの重みを決定し、場所想起スキーマデータベースに反映する。また、属性情報抽出手段によって各現象に対応指定抽出されたプロパティ情報は、場所想起スキーマデータベースに蓄積されたグラフ構造において現象にかかわるノードの属性情報として蓄積される。
【００２２】
本発明にかかわる第３の想起スキーマ管理サーバ装置は、上述した第１の想起スキーマ管理サーバ装置に、気分情報収集手段と、場所選択手段とを備えて構成される。
本発明にかかわる第３の想起スキーマ管理サーバ装置の原理は、以下の通りである。
上述した第１の想起スキーマ管理サーバ装置において、気分情報収集手段は、少なくとも一つの想起空間形成装置の利用者について、利用者によって表出される情報の中から利用者の気分を示す情報を収集する。場所選択手段は、気分情報収集手段によって収集された気分情報を含む利用者情報を部分構造抽出手段に入力して得られた部分構造に基づいて、気分情報によって示される利用者の気分に関連付けられた場所を想起対象の場所として選択し、選択結果を配信管理手段の処理に供する。
【００２３】
このように構成された第３の想起スキーマ管理サーバ装置の動作は、下記の通りである。
例えば、想起空間形成装置による想起空間の提供を受ける利用者に対して、アンケート調査を行ったり、利用者の体温や発汗量などを計測したりすることにより、気分情報収集手段は、利用者の気分を示す気分情報を利用者によって表出される様々な情報の一部として収集する。
【００２４】
また一方、上述したように、場所想起スキーマデータベースに蓄積された場所想起スキーマは、想定される全ての場所および対象として想定される全ての利用者に関するグラフ構造スキーマであるので、気分情報収集手段によって収集された気分情報で示される気分に関連する部分構造を抽出することができる。場所選択手段は、部分構造抽出手段を利用して、利用者の気分に関連する部分構造を抽出し、この部分構造において、利用者の気分に関連付けられた場所を特定する。そして、この場所を想起対象の場所として配信管理手段の処理に供することにより、コンテンツサーバ装置を介して、利用者の気分にマッチした場所を想起させる想起成分データの配信を実現することが可能である。
【００２５】
本発明にかかわる第４の想起スキーマ管理サーバ装置は、上述した第１の想起スキーマ管理サーバ装置に、対象情報収集手段と、部分構造特定手段とを備えて構成される。
本発明にかかわる第４の想起スキーマ管理サーバ装置の原理は、以下の通りである。
上述した第１の想起スキーマ管理サーバ装置において、対象情報収集手段は、少なくとも一つの想起空間形成装置の利用者について、利用者によって表出される情報の中から利用者に固有の特徴を示すプロファイル情報や利用者が想起空間形成装置によって提供された想起空間から受けた影響を示すフィードバック情報を収集する。部分構造特定手段は、対象情報収集手段によって収集されたプロファイル情報およびフィードバック情報を利用者情報の一部として部分構造抽出手段に入力することにより、部分構造抽出手段によって抽出される部分構造をプロファイル情報およびフィードバック情報に基づいて特定し、配信管理手段および想起空間管理手段による処理に供する。
【００２６】
このように構成された第４の想起スキーマ管理サーバ装置の動作は、下記の通りである。
例えば、想起空間形成装置による想起空間の提供を受ける利用者に対して、アンケート調査を行ったり、利用者の体温や発汗量などを計測したりすることにより、対象情報収集手段は、利用者によって表出される様々な情報の一部として、プロファイル情報およびフィードバック情報を収集する。
【００２７】
このようにして収集されたプロファイル情報およびフィードバック情報を利用者情報の一部として部分構造抽出手段に入力することにより、場所想起スキーマの全体構造の中から、想起空間形成装置におけるサービス提供の対象となる利用者に特化した部分構造を抽出することができる。この部分構造において想起対象の場所に結び付けられた想起成分の抽出を指示する想起成分制御情報を配信管理手段によって生成し、また、これらの各想起成分に付けられた重みに基づいて、想起空間管理手段が最適化パラメータを決定し、それぞれコンテンツサーバ装置および想起空間形成装置における処理に供することにより、例えば、男女の感覚の違いや年齢や育った環境などの違いにおいて、想起空間形成装置において利用者に提示される刺激の種類やそれぞれの刺激の強度を調整することが可能である。
【００２８】
本発明にかかわる第１の想起空間形成装置は、想起刺激提示手段と、提示制御手段とから構成される。
本発明にかかわる第１の想起空間形成装置の原理は、以下の通りである。
上述した空間制御システムに備えられる想起空間形成装置において、想起刺激提示手段は、入力される想起成分データに含まれる各想起成分に対応する刺激を、想起成分データで示される強度に従って提示する。提示制御手段は、想起刺激提示手段によって提示される刺激の組み合わせおよびこれらの刺激それぞれの強度にかかわる最適化パラメータに従って、コンテンツサーバ装置から配信された想起成分データに含まれる各想起成分に関する値を調整し、調整された想起成分データを想起刺激提示手段に入力する。
【００２９】
このように構成された第１の想起空間形成装置の動作は、下記の通りである。
例えば、上述した第１の想起スキーマ管理サーバ装置において説明したようにして、最適化パラメータを、各想起空間形成装置における想起対象の場所に対応して、それぞれの想起空間形成装置において提示可能な刺激の種類の組み合わせに適するように予め生成しておき、各想起空間形成装置に予め配信して保持しておくことができる。この最適化パラメータに基づいて、提示制御手段は、コンテンツサーバ装置から配信された想起成分データを調整し、その後に、想起刺激提示手段による刺激提示処理に供する。これにより、コンテンツサーバ装置から各想起空間形成装置に配信される一般的な想起成分データを上述した最適化パラメータに基づいてそれぞれ調整し、個々の想起空間形成装置において最も有効な刺激の組み合わせをそれぞれ適切な強度を持って提示することができる。
【００３０】
本発明にかかわる第２の想起空間形成装置は、上述した第１の想起空間形成装置に、入力受付手段と、観測手段とを備えて構成される。
本発明にかかわる第２の想起空間形成装置の原理は、以下の通りである。
上述した第１の想起空間形成装置において、入力受付手段は、想起空間形成装置の利用者によって能動的に表出される情報の入力を受け付けて、利用者が表出する情報の一部として想起スキーマ管理サーバ装置の処理に供する。観測手段は、利用者の身体を介して表出される現象を観測し、観測結果を利用者が表出する情報の一部として想起スキーマ管理サーバ装置の処理に供する。
【００３１】
このように構成された第２の想起空間形成装置の動作は、下記の通りである。
例えば、想起空間形成装置の利用者が音声やキーボードなどを介して能動的に表した利用者の現在の気分や利用者に固有の個人情報は、入力受付手段を介して想起スキーマ管理サーバ装置に渡され、また、これとともに、観測手段によって、利用者の表情や体温などが観測され、観測結果が想起スキーマ管理サーバ装置に渡される。このようにして、利用者によって表出される情報が収集され、上述した第３の想起スキーマ管理サーバ装置あるいは第４の想起スキーマ管理サーバ装置において説明したようにして、利用者の気分に合わせた想起対象の場所の選択や利用者のプロファイルに合わせた想起成分データの調整などに利用することができる。
【発明の効果】
【００３２】
本発明にかかわる空間制御システムによれば、様々な場所について予め収集した想起情報に基づいて形成した場所想起スキーマに基づいて、リゾート地などにおいて収集された環境情報の中からその場所を想起させる上で有効な想起成分を抽出し、想起空間形成装置を介してこれらの想起成分の組み合わせに基づく刺激を利用者に提示することができるので、利用者にリゾート地などの環境に身をおいたときに近い快適さを提供することができる。
【００３３】
特に、第１のコンテンツサーバ装置を備えた空間制御システムでは、リゾート地などにおいて収集された環境情報から抽出した想起成分データが想起空間形成装置にリアルタイムで配信されるので、利用者に、リゾート地などで催されているイベントなどの雰囲気をあたかもその場にいるかのような臨場感を提供することができる。
一方、第２のコンテンツサーバ装置を備えた空間制御システムでは、環境情報を蓄積配信することにより、環境情報収集手段の設置場所における時刻や季節にかかわらず、所望の場所における所望の時期および時刻の環境の雰囲気を利用者に提供することができる。
【００３４】
また、第３のコンテンツサーバ装置を備えた空間制御システムでは、想起空間形成装置ごとに提示可能な刺激の組み合わせに応じて、適切な想起成分データを配信することができるので、様々な個性を持った利用者に適応して快適な環境を提供することができる。
第１の想起スキーマ管理サーバ装置を備えた空間制御システムでは、場所想起スキーマを重みつきグラフ構造として捉え、想起対象の場所や利用者の特徴に応じて抽出した部分構造に基づいて、コンテンツサーバ装置における配信処理および想起空間形成装置における刺激提示処理を管理することにより、利用者に所望の場所を想起させるために有効な想起成分データを確実に配信し、また、これらの想起成分データに基づいて適切な刺激の組み合わせを利用者に提示することができる。
【００３５】
特に、第２の想起スキーマ管理サーバ装置によれば、場所想起スキーマを完全に統計的な手法に基づいて形成することができるので、不特定多数の利用者を対象としたアンケート調査や想起対象の場所についてかかれた様々な文献などからなる膨大な想起情報から、多面的な場所想起スキーマを形成することができる。
また、第３の想起スキーマ管理サーバ装置によれば、利用者の気分に応じてふさわしい場所を自動的に決定し、コンテンツサーバ装置を介して、その場所を想起させる想起成分データを想起空間形成装置に配信させることができる。
【００３６】
一方、第４の想起スキーマ管理サーバ装置によれば、利用者のプロファイルやフィードバック情報に応じて、場所想起スキーマから抽出する部分構造を特定することにより、対象とする利用者に極めてよく適合した想起成分データを想起空間形成装置に配信し、また、対象とする利用者に特化した最適化パラメータによって提示する刺激を調整することができるので、想起空間形成装置によって提示される刺激をより有効に利用者に作用させることができる。
【００３７】
また、第１の想起空間形成装置によれば、コンテンツサーバ装置から配信された一般的な想起成分データを、想起空間形成装置に固有の最適化パラメータに基づいて調整することにより、個々の想起空間形成装置において最も有効な組み合わせの刺激をその組み合わせにおいて最も有効な強度を持って利用者に提示することができる。
一方、第２の想起空間形成装置によれば、利用者が能動的に表出した情報および利用者を観察することによって得られる情報を収集し、想起スキーマ管理サーバ装置における気分に応じた場所の選択処理や利用者のプロファイルやフィードバック情報に基づく部分構造の特定処理に供することができるので、空間制御システムの高機能化や想起空間形成装置によって形成される想起空間の高精度化を図ることができる。
【発明を実施するための最良の形態】
【００３８】
以下、図面に基づいて、本発明の実施形態について詳細に説明する。
（第１の実施形態）
図１に、本発明にかかわる空間制御システムの第１の実施形態を示す。
図１において、空間制御システムは、リゾート地などから選択されたｋ個所の遠隔地にそれぞれ設置された環境情報収集装置２０１1〜２０１kと、契約した事業者のオフィスや契約した個人の居室などにそれぞれ設置されたｍ個の想起空間形成装置２１０1〜２１０mと、これらの環境情報収集装置２０１1〜２０１kによって収集された環境情報に基づく想起成分データ(後述する)を想起空間形成装置２１０1〜２１０mに配信するコンテンツサーバ装置２２０と、後述する場所想起スキーマに基づいて、コンテンツサーバ装置２２０による配信動作および各想起空間形成装置２１０1〜２１０mによる想起空間の形成動作を管理する想起スキーマ管理サーバ装置２３０とをネットワークを介して接続して構成されている。
【００３９】
図１に示した想起空間形成装置２１０1において、ｎ個の刺激出力装置２１３1〜２１３nは、最適化処理部２１２から受け取った信号に応じて、それぞれ異なる刺激を利用者に提示する機能(例えば、芳香を放出する機能や音声や光あるいは画像を出力する機能など)をそれぞれ持っている。コンテンツサーバ装置２２０から配信された想起成分データは、ネットワークインタフェース２１１を介して最適化処理部２１２に渡され、この最適化処理部２１２により、後述する最適化パラメータに従って、上述した各刺激出力装置２１３1〜２１３nに最適化した刺激信号に変換され、これらの刺激出力装置２１３1〜２１３nによる刺激提示処理に供される。
【００４０】
また、図１に示した入力装置２１４は、例えば、キーボードや音声入力装置であり、利用者がこれらを操作することにより、利用者個人の嗜好などに関するプロファイル情報や現在の心情や過去の経験を言語によって表現した情報が入力され、ネットワークインタフェース２１１を介して想起スキーマ管理サーバ装置２３０を宛先として送出される。一方、身体情報観測装置２１５は、例えば、利用者の体温や発汗量などを計測するセンサ類であり、これらのセンサによる計測結果は、ネットワークインタフェース２１１を介して想起スキーマ管理サーバ装置２３０宛てに送出され、想起空間形成装置２１０1によって形成された想起空間が利用者に及ぼした影響を示すフィードバック情報として利用される。
【００４１】
なお、図１においては、ｍ個の想起空間形成装置２１０1〜２１０mについての詳細構成の代表として、想起空間形成装置２１０1の詳細構成を示した。以下、想起空間形成装置２１０1〜２１０mを総称する際には、単に、想起空間形成装置２１０と称する。
また、図１に示したコンテンツサーバ装置２２０において、想起成分抽出部２２２は、環境情報収集装置２０１1〜２０１kによってそれぞれ収集される環境情報を、ネットワークインタフェース２２１を介して受け取り、制御情報保持部２２３に各想起空間形成装置２１０に対応して保持された想起成分制御情報に基づいて、これらの環境情報から宛先の想起空間形成装置２１０に配信すべき想起成分データをそれぞれ抽出する。想起成分抽出部２２２によって抽出された想起成分データは、リアルタイム配信部２２４により、ネットワークインタフェース２２１を介して対応する想起空間形成装置２１０を宛先として送出される。
【００４２】
図１に示した想起スキーマ管理サーバ装置２３０において、場所想起スキーマデータベース２３３には、想起スキーマ形成部２３２が想起情報データベース２３１に蓄積された想起情報に基づいて形成した場所想起スキーマが、想起対象として想定される全ての場所について、それぞれの場所に関連する事物と現象とこれらの関連とを重みつきグラフ構造として蓄積されている。また、図１に示した管理情報データベース２３８は、上述した環境情報収集装置２０１1〜２０１kごとにそれぞれの設置された場所およびそれぞれにおいて収集される環境情報の構成などを示す遠隔地管理情報を格納するとともに、各想起空間形成装置２１０に対応して、それぞれにおいて出力可能な刺激の組み合わせや想定される利用者の特徴を示す想起空間管理情報を格納している。
【００４３】
また、図１に示した部分構造抽出部２３４は、配信管理部２３５によって指定された抽出制御情報に基づいて、場所想起スキーマデータベース２３３に蓄積された場所想起スキーマの全体構造の中から適切な部分構造を抽出する。図１に示した配信管理部２３５は、遠隔地管理情報および想起空間管理情報とに基づいて、配信先の想起空間形成装置２１０ごとに、この想起空間形成装置２１０において想起対象となる場所を想定される利用者に想起させるための対象想起スキーマを場所想起スキーマの全体構造において特定するための抽出制御情報を生成する。また、この配信管理部２３５は、このようにして生成した抽出制御情報を上述した部分構造抽出部２３４に入力することによって得られた部分構造に基づいて、上述した想起空間形成装置２１０に配信すべき想起成分を示す想起成分制御情報を生成し、ネットワークインタフェース２３７を介してコンテンツサーバ装置２２０を宛先として送出する。一方、図１に示した提示管理部２３６は、各想起空間形成装置２１０に対応して得られた部分構造を部分構造抽出部２３４から受け取り、この部分構造と管理情報データベース２３８に格納された想起空間管理情報とに基づいて、想起空間形成装置２１０それぞれにおいて、想起成分データに含まれる各想起成分とこの想起空間形成装置２１０に用意された各刺激出力装置２１３に入力すべき刺激信号との関係を示す最適化パラメータを生成し、ネットワークインタフェース２３７を介して各想起空間形成装置２１０に送出する。また、上述した想起空間形成装置２１０に備えられた入力装置２１４を介して入力された情報および身体情報観測装置２１５によって得られた計測結果を示す情報は、ネットワークインタフェース２３７を介して、この提示管理部２３６に渡され、この提示管理部２３６により、送信元の想起空間形成装置２１０に対応する想起空間管理情報の一部として管理情報データベース２３８に格納される。
【００４４】
次に、想起情報データベース２３１に蓄積された想起情報から場所想起スキーマを形成する動作およびこれに関連する想起スキーマサーバ装置２３０の詳細構成について説明する。
図２に、想起スキーマサーバ装置の詳細構成を示す。また、図３に、場所想起スキーマを形成する動作の説明図を示す。
【００４５】
図２に示した想起スキーマ形成部２３２において、キーワード保持部２４０は、例えば、想起対象の場所ごとに、その場所を多数に人に想起させると期待できるキーワードを保持している。
このようなキーワードは、例えば、不特定多数の利用者に対して、様々なリゾート地などをイメージさせる「もの」に関するアンケート調査を行った結果などに基づいて、予め決定しておくことができる。図３(ａ)に、屋久島についてアンケート調査を行った結果に基づいて、屋久島をイメージさせる「もの(Object)」を示すキーワードを抽出した例を示す。この例では、キーワードとして、「杉の巨木」Ｏ1、「森」Ｏ2、「清浄な空気」Ｏ3が抽出されている。また、同じアンケート調査において、そのリゾート地において五感に捉えられた感覚を表す言語表現(図３(ｂ)参照)が収集され、想起情報データベース２３１に蓄積されて、場所想起スキーマ形成処理に供される。また、様々なリゾート地を紹介する文献などを想起情報データベース２３１(図２参照)に蓄積し、場所想起スキーマ形成処理に供することも可能である。
【００４６】
このようにして想起情報データベース２３１に蓄積された言語表現は、構文解析部２４１によって構文解析され、この解析結果に基づいて、ノード抽出部２４２は、上述したキーワードに加えて、言語表現の中に主語あるいは目的語として表れる「もの」を表す「主部」と、この「主部」にかかわる現象を示す「述部」とをノードとして抽出し、更に、「述部」にかかわるノードを、現象そのものを示すものとそれが観察される「位置」を示すものとに分類する。また、このとき、属性抽出部２４４は、構文解析結果およびノード抽出結果に基づいて、抽出された「述部」が観察される時間間隔や強度などを示す言語表現を「述部」に対応する属性情報として抽出する。
【００４７】
例えば、図３(ｂ)に示した例では、言語表現から、上述した３つのキーワードに加えて、「朝日」Ｏ4、「鳥」Ｏ5が「主部」として抽出され、また、これらを加えた５つの「主部」にそれぞれ対応する「述部」が抽出されている。また、図３(ｃ)においては、抽出された各ノードを楕円で示し、また、各ノードを間の関連を示すエッジを太線で示した。
なお、図３においては、各「主部」に対応して抽出された「述部」を、「述部」であることを示す符号「Ｐ」に対応する「主部」を示す符号を括弧で囲って組み合わせて示した。また、例えば、「鳥」に対応して抽出された「述部」の一つとして抽出された「高い梢」は、同じく「鳥」に対応する「述部」の一つである「さえずり」の位置を示しているので、「述部」であることを示す符号「Ｐ」と「位置」を示す符号「ｓ」とを組み合わせて示した。また、「鳥」に対応する「述部」の一つである「さえずり」が聞こえる時間間隔を示す「絶え間なく」は、「述部」であることを示す符号「Ｐ」と「属性情報」であることを示す符号「ｒ」とを組み合わせて示した。
【００４８】
このようにして、「場所」を五感で捉えたときの感覚を表す言語表現から、「場所」を想起させる心理構造を、「もの」および「現象」を示すノードとこれらのノードの関連を示すエッジとから構成されるグラフ構造として抽出することができる。
更に、同一の「場所」に関する多数の言語表現について同様の処理を行い、その過程において、計数処理部２４３は、各ノードが抽出された度数をそれぞれ計数し、この計数結果に基づいて、各ノードおよびエッジの重みを決定する。
【００４９】
このような処理を、想定される全ての「場所」について行うことにより、図２に示した場所装置スキーマデータベース２３３に、これらの「場所」を想起される心理構造を表す重みつきグラフ構造を蓄積することができる。
図４に、重みつきグラフ構造として記述した場所想起スキーマの例を示す。
図４において、「もの」を示す主部ノードとして抽出された「波」、「砂」と、これらの「もの」の動作あるいは状態を示す「述部」にあたる述部ノードとして抽出された「波頭が白く泡立つ」、「音を立てる」および「足元で崩れる」、「熱い」と、これらの「述部」が観察される場所にあたる位置ノードとして抽出された「波打ち際」および「砂浜」とを楕円で囲んで示した。また、主部ノードと述部ノードとを結ぶエッジ（ＯＰエッジ）を太い実線で示し、述部ノードと位置ノードとを結ぶエッジ（ＰＳエッジ）を太い破線で示した。また、各ノードおよびエッジに添えられた数字は、それらに対応する計数結果を示している。
【００５０】
また、属性情報抽出部２４４によって抽出された属性情報は、図５に示すように、述部ノードごとに、様々な項目に分類された上で、場所想起スキーマデータベース２３３に蓄積される。例えば、図５においては、述部ノード「波音を立てる」に対応する属性情報として、該当する現象がどのように変動するかを示す変動タイプ、該当する現象との距離感、該当する現象が感じられる方向として示した各項目について、回答者属性で示した回答者による回答内容が格納されている。なお、図５に示した例では、表現系に関する属性情報により、スピーカによる音声刺激を主とし、カラー照明装置による色彩や光の刺激および送風機による刺激を補助として表現することが示されている。もちろん、表現系に関する属性情報において、各刺激に関する重みを数値によって表現することもできる。また、回答者属性として、図５に示した例(性別、年齢、居住地、利用歴、職業、現在の気分)に加えて、出身地や趣味などを収集しておくことも可能である。
【００５１】
次に、場所想起スキーマに基づいて、各想起空間形成装置２１０への想起成分データの配信処理を管理する動作およびこれに関連する想起スキーマサーバ装置２３０の詳細構成について説明する。
図２に示した管理情報検索部２４５は、例えば、新たな想起空間形成装置２１０が空間制御システムに組み込まれたときなどに、まず、管理情報データベース２３８に格納された配信管理情報(図６(ｃ)参照)から、この新規の想起空間形成装置２１０に与えられた想起空間ＩＤ(例えば、Ｓ５)に基づいて、この想起空間形成装置２１０における想起対象の場所を示す遠隔地ＩＤ(例えば、Ｅ１)を検索する。
【００５２】
次に、図２に示した管理情報検索部２４５は、遠隔地ＩＤで示された「場所」を部分構造抽出部２３４に渡して、その「場所」にかかわる場所想起スキーマの部分構造の抽出を依頼するとともに、管理情報データベース２３８から、遠隔地ＩＤに対応する遠隔地管理情報(図６(ａ)参照)および想起空間ＩＤに対応する想起空間管理情報(図６(ｂ)参照)を検索し、制御情報生成部２４６に渡す。
【００５３】
部分構造抽出部２３４は、例えば、指定された場所に対応して場所想起スキーマデータベース２３３に格納された特徴的な「もの」に対応する主部ノードから探索を開始し、場所想起スキーマデータベース２３３に蓄積されたグラフ構造を辿っていくことにより、関連する部分構造を抽出する。
このとき、部分構造抽出部２３４は、子エッジの重みの初期値Ｗｓと重み調整係数Ｃｅとエッジ乗数Ｍｅおよび探索ステップ数ｎを用いて式(１)のように表される加重重みＷａを、辿り判定規準値Ｓｖと、開始ノードの重みの初期値Ｗｓ０と、ノードの重み係数Ｃｎおよび底ｋとを用いて、式(２)のように表される閾値Ｔと比較した結果に基づいて、各ノードにつながるエッジを辿るか否かを決定する。
【００５４】
Ｗａ＝Ｗｓ×Ｃｅ×Ｍｅ(n-1)              ・・・（１）
Ｔ＝Ｓｖ／(１＋Ｃｎｌｏｇk（Ｗｓ０）)      ・・・（２）
このように、閾値の算出に、開始ノードの重みの初期値の影響を組み込むことにより、重みが大きいノードからはエッジが辿られやすくなり、逆に、重みの小さいノードからはエッジが辿られにくくすることができる。
【００５５】
部分構造抽出部２３４は、式(１)に基づいて算出した加重重みが閾値よりも大きい場合に該当するエッジを辿り、辿ったエッジに加重重みを加えていく。この操作を繰り返していき、探索が終了した時点で最終的なエッジの重みを決定し、探索にかかわった各ノードについて、それぞれに接続されたエッジの重みを合計し、これをそのノードの重みとする。このようにして重みが決定されたノードから、予め決定しておいたノード抽出基準値よりも大きい重みを持つノードを抽出することにより、場所想起スキーマの全体構造の中から特定の場所に関連する部分構造を抽出することができる。
【００５６】
図２に示した制御情報生成部２４６は、部分構造抽出部２３４によって抽出された部分構造に含まれる各述部ノードに対応する属性情報を参照し、それぞれの属性情報および想起空間管理情報に基づいて、各述部ノードの表現に適した刺激出力手段(例えば、図６(ｂ)に示したスピーカ１)を選択し、更に、それぞれの属性情報および遠隔地管理情報に基づいて、各刺激出力手段それぞれに入力すべき想起成分(例えば、図６(ａ)に示したマイク１の出力信号)およびその加工方法を決定する。
【００５７】
図２に示した制御情報生成部２４６は、内部に、図６(ｄ)に示すような刺激出力手段と属性情報との組み合わせに対応する想起成分加工関数を示す表を備えており、この表に基づいて、環境情報に含まれる各情報要素を対応する想起成分へと加工する際に適用すべき加工関数を決定する。なお、図６(ｄ)においては、波の音のように比較的長い周期で反復する変動、木漏れ日のように比較的短い周期で反復する変動、気温や日照のような定常状態および微細な変動など、様々な変動パターンに合わせて、スピーカ、カラー照明装置、送風機などの様々な刺激出力手段について、それぞれ適切な想起成分加工関数を指定している例を示した。
【００５８】
このようにして、制御情報生成部２４６により、該当する遠隔地(例えば、遠隔地Ｅ１)に設置された環境情報収集装置２０１(図１参照)によって収集された環境情報に含まれる各情報要素に対応する刺激出力手段を指定する情報および加工関数を指定する情報からなる想起成分制御情報が生成され、ネットワークインタフェース２３７を介してコンテンツサーバ装置２２０宛てに送出され、想起成分データの配信処理に供される。
【００５９】
このとき、各環境収集装置２０１によって収集された環境情報に含まれる各情報要素(例えば、マイクによって収集された音声データや風速計による計測結果など)を、それぞれの情報要素が一般的に対応している刺激とは別の種類の刺激を出力する刺激出力手段に対応付けることも可能である。例えば、環境情報収集装置２０１が設置された遠隔地において頭上の空間に関連する音声を収集するために設置されたマイクによって収集された音声に対応する刺激出力手段として、想起空間形成装置２１０の天井に設置されたカラー照明装置を指定するとともに、適切な加工関数を指定してもよい。この場合は、上述した環境情報収集装置２０１によって収集された環境情報に含まれる「葉ずれの音」が、図１に示したコンテンツサーバ装置２２０の想起成分抽出部２２２により、カラー照明装置に対応する想起成分データに変換され、収集された環境情報とは異なる種類の刺激として利用者に提供される。
【００６０】
次に、場所想起スキーマから抽出された部分構造に基づいて、各想起空間形成装置２１０における刺激提示処理を管理する動作およびこれに関連する想起スキーマサーバ装置２３０の詳細構成について説明する。
図２に示したように、上述した配信管理部２３５の管理情報検索部２４５からの指示に応じて部分構造抽出部２３４によって抽出された部分構造は、提示管理部２３６のパラメータ生成部２４７にも入力される。また、制御情報生成部２４６において決定された環境情報と刺激出力手段との対応関係もまた、パラメータ生成部２４７の処理に供される。
【００６１】
このパラメータ生成部２４７は、抽出された部分構造に含まれる各述部ノードに対応する属性情報と上述した対応関係とに基づいて、それぞれの刺激出力手段が主たる表現手段であるか補助的な表現手段であるか、また、抽出された部分構造において、注目している述部ノードの重みが他の述部ノードに比べて大きいか否かを判断し、これらの判断結果に応じて、想起成分データから刺激信号への変換の際に適用すべき係数からなる最適化パラメータを決定する。例えば、注目している述部ノードの重みが大きく、この述部ノードの主たる表現手段がスピーカ１である場合には、対応する想起成分データをスピーカ１に入力する刺激信号に変換するために用いる係数を大きくし、逆に、重みが小さい述部ノードの補助的な表現手段となっている場合には、小さい変換係数を与えることにより、遠隔地の雰囲気を想起させる空間を形成することができると考えられる。
【００６２】
このようにして得られた最適化パラメータは、ネットワークインタフェース２３７を介して該当する想起空間形成装置(例えば、想起空間ＩＤ(Ｓ５)に対応する想起空間形成装置)２１０宛てに送出され、この想起空間形成装置２１０における刺激提示の管理に供される。
一方、例えば、図１に示した入力装置２１４により、想起空間形成装置２１０1の利用者の個人情報が入力され、この個人情報がネットワークを介して想起スキーマ管理サーバ装置２３０に到達すると、この個人情報は、ネットワークインタフェース２３７を介して、図２に示した管理情報反映部２４８に入力される。
【００６３】
これに応じて、管理情報反映部２４８は、想起空間形成装置２１０1に対応する想起空間管理情報の一部として、利用者の個人情報(例えば、性別、年齢、居住地、職業など)を管理情報データベース２３８に格納する。
このように収集された利用者の個人情報などを利用して、想起空間形成装置２１０によって、利用者の個性に合わせた想起空間を提供することも可能である。
【００６４】
例えば、図２に示した配信管理部２３５により、想起対象の場所を示す遠隔地ＩＤとともに上述した利用者の個人情報を部分構造抽出部２３４に入力し、該当する遠隔地に対応する部分構造の中から、特に、利用者と類似したプロフィールの回答者属性を含んだ部分構造を特定して抽出する。
これにより、例えば、若い男性あるいは年配の女性といったグループに対応して、場所想起スキーマの部分構造に狙いを定めて抽出することができる。このようなグループは、ある程度同一の反応が期待できるので、想起情報データベース２３１に十分なサンプルが蓄積され、これらのサンプルを元に、精密な場所想起スキーマが形成されていれば、該当するグループに属する利用者に、きわめて有効な想起空間を提供することができる。例えば、様々な観光地やリゾート地について、ＷＥＢを利用したネットアンケートなどを行って、様々な年齢層を含む不特定多数利用者からの回答を集積することにより、想起情報データベース２３１に十分なサンプルを蓄積することができる。
【００６５】
更に、このようにして抽出した部分構造をパラメータ生成部２４７に入力し、利用者の個性に合わせた最適化パラメータを生成することも可能である。
例えば、パラメータ生成部２４７は、図７に示したように、各刺激出力手段に対応して、標準的な強度を数値「１００」とした場合の男性向きおよび女性向きの強度を示す調整値の表を保持しておき、この表に従って、最適化パラメータに含まれる各変換係数の値を調整することにより、利用者の個性に合わせて最適化パラメータを生成することができる。
【００６６】
もちろん、想起空間形成装置２１０の利用者に対するアンケートが集積されていけば、若い男性あるいは若い女性向きの調整値や年配の男女向きの調整値、さらには、出身地や職業別などの調整値を加えて、更に、高精度で提示刺激を最適化することが可能である。
（第２の実施形態）
図８に、本発明にかかわる空間制御システムの第２の実施形態を示す。
【００６７】
なお、図８に示す構成要素のうち、図１に示した各部と同等のものについては、図１に示した符号を付して示し、その説明を省略する。
図８に示したコンテンツサーバ装置２２０において、ネットワークインタフェース２２１を介して入力される環境情報は、想起成分抽出部２２２による想起成分の抽出処理に供されるとともに、環境情報データベース２２５に蓄積される。また、図８に示した想起成分抽出部２２２によって抽出された想起成分データもまた、環境情報データベース２２５に蓄積される。ここで、環境情報データベース２２５は、図８に示した各環境情報収集装置２０１1〜２０１kが設置された遠隔地に与えられた遠隔地ＩＤごとに、これらの環境情報収集装置２０１1〜２０１kによって収集された環境情報を、タイムスタンプをつけて蓄積し、また、これらの環境情報から抽出された想起成分データを、遠隔地ＩＤと想起空間ＩＤとの組み合わせごとにタイムスタンプをつけて蓄積する。
【００６８】
また、図８に示した配信制御部２２６は、例えば、ネットワークインタフェース２２１を介して、時刻、遠隔地ＩＤおよび要求元の想起空間形成装置２１０を示す想起空間ＩＤを指定した配信要求を受け取り、この配信要求で指定された情報に基づいて、環境情報データベース２２５から該当する想起成分データを検索する。
環境情報データベース２２５に、指定された遠隔地ＩＤと想起空間ＩＤの組み合わせに対応して、指定された時刻の想起成分データが格納されていた場合に、配信制御部２２６は、この想起成分データを要求元の想起空間形成装置２１０を宛先としてネットワークインタフェース２２１を介して配信する。
【００６９】
また、このとき、上述した配信要求で指定された遠隔地ＩＤおよび想起空間ＩＤの組み合わせに対応する最適化パラメータの生成を要求するメッセージを生成し、ネットワークインタフェース２２１を介して想起スキーマ管理サーバ装置２３０宛てに送出する。
これにより、要求元の想起空間形成装置２１０において、配信要求で指定した遠隔地の指定した時刻における環境を想起させる空間が形成される。
【００７０】
一方、該当する想起成分データが環境情報データベース２２５に格納されていなかった場合には、環境情報データベース２２５に蓄積されている環境情報に基づいて、適切な想起成分データを生成する必要がある。
この場合に、配信制御部２２６は、まず、想起成分制御情報および最適化パラメータの生成を要求するメッセージを生成し、ネットワークインタフェース２２１を介して想起スキーマ管理サーバ装置２３０宛てに送出する。
【００７１】
これに応じて、想起スキーマ管理サーバ装置２３０によって生成された想起成分制御情報は、ネットワークインタフェース２２１を介して制御情報保持部２２３に保持され、想起成分抽出部２２２の処理に供される。このとき、配信制御部２２６は、想起成分抽出部２２２に対して、上述した配信要求で指定された遠隔地に対応して指定された時刻を示すタイムスタンプが付された環境情報について、想起成分を抽出する処理を実行する旨を指示する。
【００７２】
これに応じて、想起成分抽出部２２２によって抽出された想起成分データは、配信制御部２２６により、ネットワークインタフェース２２１の機能を利用して要求元の想起空間形成装置２１０に配信されるとともに、環境情報データベース２２５に蓄積される。
このようにして、各想起空間形成装置２１０の利用者は、現在の時刻にかかわらず、所望の場所、所望の時刻における環境を想起させる空間の提供を受けることができる。
（第３の実施形態）
図９に、本発明にかかわる空間制御システムの第３の実施形態を示す。
【００７３】
なお、図９に示す構成要素のうち、図１、図２に示した各部と同等のものについては、図１、図２に示した符号を付して示し、その説明を省略する。
図９に示した想起スキーマ管理サーバ装置２３０において、提示管理部２３６に備えられた気分情報抽出部２４９は、管理情報反映部２４８に入力される利用者のプロファイル情報およびフィードバック情報から利用者の気分に関する情報を抽出し、配信管理部２３５の遠隔地選択部２５１の処理に供する。
【００７４】
例えば、利用者により、図１に示した入力装置２１４を介して現在の気分として「うきうきしている」などの気分情報が入力された場合は、これが気分情報抽出部２４９によって抽出され、遠隔地選択部２５１による処理に供される。
この遠隔地選択部２５１は、上述したようにして抽出された気分情報を部分構造抽出部２３４に入力し、場所想起スキーマデータベース２３３からこの気分情報に類似した気分に関連付けられた部分構造の抽出を依頼し、得られた部分構造に基づいて、上述した気分情報に最も強く結びついている場所を特定する。次に、遠隔地選択部２５１は、特定した場所に対応する部分構造の抽出を再び部分構造抽出部２３４に依頼するとともに、この場所に対応する遠隔地管理情報を管理情報データベース２３８から検索し、制御情報生成部２４６の処理に供する。
【００７５】
このようにして、利用者が入力した気分に適合する遠隔地を自動的に選択し、気分情報を入力した利用者が利用している想起空間形成装置２１０を介して、選択された遠隔地の環境を想起させる空間を利用者に提供することができる。
【産業上の利用可能性】
【００７６】
上述したように、本発明にかかわる空間制御システムによれば、一般家庭の居間やオフィス、あるいは病院の待合室や病室、また、駅のコンコースのようなパブリックスペースなどの居住空間において、利用者が快適さを感じると期待できるリゾート地などの環境を想起させる空間を提供することができる。
このように、様々な居住空間において、利用者に快適な環境を想起させる空間を提供することにより、利用者をリラックスさせたり、リフレッシュさせたりすることができ、利用者の余暇を充実させることができる。
【図面の簡単な説明】
【００７７】
【図１】本発明にかかわる空間制御システムの第１の実施形態を示す図である。
【図２】想起スキーマサーバ装置の詳細構成を示す図である。
【図３】場所想起スキーマを形成する動作の説明図である。
【図４】重みつきグラフ構造として記述した場所想起スキーマの例を示す図である。
【図５】属性情報の例を示す図である。
【図６】管理情報データベースの説明図である。
【図７】最適化パラメータの調整を説明する図である。
【図８】本発明にかかわる空間制御システムの第２の実施形態を示す図である。
【図９】本発明にかかわる空間制御システムの第３の実施形態を示す図である。
【図１０】従来の仮想現実提供システムの例を示す図である。
【符号の説明】
【００７８】
２０１  環境情報収集装置
２１０  想起空間形成装置
２１１、２２１、２３７  ネットワークインタフェース
２１２  最適化処理部
２１３  刺激出力装置
２１４  入力装置
２１５  身体情報観測装置
２２０  コンテンツサーバ装置
２２２  想起成分抽出部
２２３  制御情報保持部
２２４  リアルタイム配信部
２２５  環境情報データベース
２２６  配信制御部
２３０  想起スキーマ管理サーバ装置
２３１  想起情報データベース
２３２  想起スキーマ形成部
２３３  場所想起スキーマデータベース
２３４  部分構造抽出部
２３５  配信管理部
２３６  提示管理部
２３８  管理情報データベース
２４０  キーワード保持部
２４１  構文解析部
２４２  ノード抽出部
２４３  計数処理部
２４４  属性抽出部
２４５  管理情報検索部
２４６  制御情報生成部
２４７  パラメータ生成部
２４８  管理情報反映部
２４９  気分情報抽出部
２５１  遠隔地選択部
４０１  環境蓄積サーバ
４０２  映像再現装置
４０３  ディスプレイ装置
４０４  スピーカ
【図１】
2006195564.tif 000003
【図２】
2006195564.tif 000004
【図３】
2006195564.tif 000005
【図４】
2006195564.tif 000006
【図５】
2006195564.tif 000007
【図６】
2006195564.tif 000008
【図７】
2006195564.tif 000009
【図８】
2006195564.tif 000010
【図９】
2006195564.tif 000011
【図１０】
2006195564.tif 000012